(57)【要約】【課題】  危険を伴う法面工事等の土木工事において、金網やフレームをアンカーピンで地盤に固定する工程から、ドリルによる地盤の穿設、手作業によるアンカーピンの挿入、固定剤等の充填といった作業を不要にし、アンカーピンによる固定作業を確実に、かつ効率良く行う。【解決手段】  連結アダプター１は加振機Ａに接続する挿着軸部１Ａ、鍔部１Ｂ及び連結軸部１Ｃを鋼材により軸状に一体に形成したものからなる。アンカーピンＢを保持する鋼材からなるピン保持アダプター２は、連結軸部１Ｃを挿着する連結穴部２Ｂ、アンカーピンＢを保持するピン保持穴部２Ｃを有しており、連結穴部２Ｂに直角方向に開口する楔打込み穴２Ｄが穿設してある。【選択図】  図３
0003104780.tif 000002
【実用新案登録請求の範囲】
【請求項１】
軸方向上端側が加振機に接続される挿着軸部になり、下端側が連結軸部になった軸状の連結アダプターと、基体の上部側に該連結アダプターの連結軸部を挿脱可能に挿着する連結穴部を設け、下部側にアンカー保持部を設けた保持アダプターとから構成してなるアンカーピン打込み用アダプター組合わせ体。
【請求項２】
前記保持アダプターには、前記連結穴部に略直角方向から開口する楔打込み穴を形成し、該楔打込み穴に前記連結アダプターを抜き出すための抜出し用楔を打ち込むようにしてある請求項１記載のアンカーピン打込み用アダプター組合わせ体。
【考案の詳細な説明】
【技術分野】
【０００１】  本考案は、法面工事等の土木作業において、アンカーピンを地盤等に打ち込み固定するのに用いて好適なアンカーピン打込み用アダプター組合わせ体に関する。
【背景技術】
【０００２】  法面等の傾斜面に金網やフレームを固定するためにメインアンカーピンや補助アンカーピンを打ち込む工事を行う場合、従来は削岩機や採掘機であるピックハアンマーやコンクリートブレーカーにドリルを挿着し、アンカーピン打込み用穴を穿設し、手作業によりアンカーピンを該穴に入れ、最後に穴とアンカーピンの隙間にセメント等の固定剤を充填する作業を行っている。
【考案の開示】
【考案が解決しようとする課題】
【０００３】  上述した従来の工法には、コンクリートブレーカー等による穴の穿設、アンカーピンの手作業による挿装、固定剤の充填という複数の作業を危険を伴う法面で行わなければならないという欠点、アンカーピンの固定に技術を要するという欠点、時間と労力を要するために効率が悪いという欠点がある。【０００４】  本考案は上述した従来技術の欠点に鑑みなされたもので、アンカーピン打込み用穴の穿設作業、手作業による挿装及び固定剤の充填作業を不要にすることにより、作業環境の悪い現場での作業を効率よく行うことができるようにしたアンカーピン打込み用アダプター組合わせ体を提供することを目的とする。
【課題を解決するための手段】
【０００５】  上述した課題を解決するために構成された本考案の手段は、軸方向上端側が加振機に接続される挿着軸部になり、下端側が連結軸部になった軸状の連結アダプターと、基体の上部側に該連結アダプターの連結軸部を挿脱可能に挿着する連結穴部を設け、下部側にアンカー保持部を設けた保持アダプターとからなる。【０００６】  そして、前記保持アダプターには、前記連結穴部に略直角方向から開口する楔打込み穴を形成し、該楔打込み穴に前記連結アダプターを抜き出すための抜出し用楔を打ち込むようにするとよい。
【考案の効果】
【０００７】  本考案は上述の構成にしたから、下記の諸効果を奏する。
（１）加振機にアダプター組合わせ体を介してアンカーピンを保持する構成にしたから、アンカーピンを地盤に加振機により直接打ち込むことができる。従って、従来技術で必要であったアンカーピン打込み用穴の穿設作業、アンカーピン固定作業は不要であり、危険性の高い現場でもピン打込み作業を確実に、かつ効率よく行うことができる。
（２）ピン保持アダプターに楔打込み穴を穿設し、抜出し用楔を打ち込む構成にしたから、連結穴部に振動により強固に挿入した状態になっている軸状アダプターを容易に抜き出すことができる。
【考案を実施するための最良の形態】
【０００８】  以下、本考案の実施の形態を図面に基づき詳述する。図１乃至図３は第１の実施の形態に係り、ストレートアンカーピン用アダプター組合せ体を示す。図において、１はピックハンマーやコンクリートブレーカー等の加振機Ａに接続する軸状の連結アダプターを示す。該連結アダプター１は円柱状の挿着軸部１Ａと、鍔部１Ｂと、先細り円柱状の連結軸部１Ｃを棒鋼により軸方向に一体に形成したものからなっている。【０００９】  ２は前記連結アダプター１をストレートアンカーピンＢに接続するための筒状のピン保持アダプターを示す。該ピン保持アダプター２は、適宜の長さに設定した棒鋼からなる円柱状の基体２Ａと、該基体２Ａの軸方向一側端面から他側に向けて凹設され、軸状アダプター１の連結軸部１Ｃが挿脱可能に挿嵌される有底の連結穴部２Ｂと、基体２Ａの軸方向他側端面から軸方向一側に向けて凹設され、ストレートアンカーピンＢが挿脱可能に挿嵌されるピン保持穴部２Ｃと、前記基体２Ａに穿設され、連結穴部２Ｂに直角方向に開口する楔打込み穴２Ｄとから構成してある。【００１０】  ３は前記ピン保持アダプター２の連結穴部２Ｂに、振動により強固に挿入した状態になる軸状アダプター１を抜き出すための抜出し用楔を示す。該抜出し用楔３は、長方形鋼材片の上辺３Ａを傾斜面に形成した先細りの形態に成形してあり、前記楔打込み穴２Ｄに上辺３Ａを上向きの状態にしてピン保持アダプター２と連結アダプター１の下端の間に打ち込むことにより、連結アダプター１を押し上げてピン保持アダプター２から容易に抜き出すものである。【００１１】  本実施の形態は上述の構成からなっており、既存のストレートアンカーピンＢを地盤に打ち込む場合について説明する。加振機Ａのドリル挿着部に連結アダプター１の挿着軸部１Ａを挿着し、連結軸部１Ｃをピン保持アダプター２の連結穴部２Ｂに挿着する。そして、ピン保持アダプター２のピン保持穴部２ＣにストレートアンカーピンＢの上端側を挿着することにより、図３に示すように、ストレートアンカーピンＢはピン保持アダプター２、連結アダプター１を介して加振機Ａに接続することができる。かくして、加振機ＡによりストレートアンカーピンＢを地盤に直接打ち込むことができるから、地盤にアンカーピン挿入用の穴を穿設する必要がないし、地盤とアンカーピンの隙間に固定剤を充填する作業も不要であり、作業効率に優れている。【００１２】  地盤にストレートアンカーピンＢを挿入したら、連結アダプター１を加振機Ａから抜き取ると共に、ストレートアンカーピンＢからピン保持アダプター２を抜き取り、最後にピン保持アダプター２の楔打込み穴２Ｄに抜出し用楔３を打ち込んでピン保持アダプター２から連結アダプター１を押し上げて抜き出す。【００１３】  次に、図４乃至図６は第２の実施の形態に係り、Ｌ型アンカーピン打込み用のアダプター組合わせ体を示す。なお、本実施の形態の構成要素において第１の実施の形態の構成要素と同一の構成要素には同一の符号を付して援用し、その説明を省略する。【００１４】  図において、１１は金属製のピン保持アダプターを示す。１２は該ピン保持アダプターを構成する基体で、該基体１２は立方体状の上側基部１２Ａと、該上側基部１２Ａ���り大型に形成した立方体状の下側基部１２Ｂを一体に成形したものからなる。１３は上側基部１２Ａの上面から縦方向に形成した連結穴部で、該連結穴部１３は連結アダプター１の連結軸部１Ｃが挿脱可能に挿着される。【００１５】  １４は前記下側基部１２Ｂに形成したピン保持部で、該ピン保持部１４は下側基部１２Ｂに一側側面から下面にかけてＬ型アンカーピンＣの形状に沿うように内面１４Ａを略Ｌ字状にした溝に形成してある。そして、下側基部１２Ｂにはピン保持部１４を横断するように他側面に貫通して止めピン挿通穴１４Ｂが穿設してある。そして、該止めピン挿通穴１４Ｂにリベットピン等の止めピン１５を挿通することにより、該止めピン１５でＬ型アンカーピンＣをピン保持部１４に支持する。【００１６】  また、基体１２の上側基部１２Ａには、連結穴部１３に直角方向から開口する楔打込み穴１６が穿設してある。【００１７】  本実施の形態は上述の構成からなるもので、その使用方法は第１の実施の形態に係るストレートアンカーピンＢ用のアダプター組合せ体と実質的に同じであり、連結アダプター１とピン保持アダプター１１を連結し、ピン保持アダプター１１でＬ型アンカーピンＣを保持して加振機Ａにより地盤に打ち込む。【００１８】  本考案の実施の形態によれば、ストレートアンカーピンＢ用とＬ型アンカーピンＣ用のピン保持アダプター１、１１を用意しておくことにより、作業現場でいずれのアンカーピンＢ、Ｃにも対応することができる。
【図面の簡単な説明】
【００１９】
【図１】  図１乃至図３は本考案の第１の実施の形態に係り、図１は軸状アダプターの外観図である。
【図２】  筒状アダプターの外観斜視図である。
【図３】  アダプター組合せ体の使用状態を示す説明図である。
【図４】  図４乃至図６は第２の実施の形態に係り、図４は保持アダプターの外観斜視図である。
【図５】  保持アダプターの縦断面図である。
【図６】  アダプター組合せ体の使用状態を示す説明図である。
【符号の説明】
【００２０】１        連結アダプター
１Ａ      挿着軸部
１Ｃ      連結軸部
２、１１  ピン保持アダプター
２Ａ      基体
２Ｂ      連結穴部
２Ｃ      ピン保持穴部
２Ｄ      楔打込み穴
３        抜出し用楔
１３      連結穴部
１４      ピン保持部
Ａ        加振機
Ｂ、Ｃ    アンカーピン
【図１】
0003104780.tif 000003
【図２】
0003104780.tif 000004
【図３】
0003104780.tif 000005
【図４】
0003104780.tif 000006
【図５】
0003104780.tif 000007
【図６】
0003104780.tif 000008